(57)【要約】【課題】内燃機関を始動させ、原動機として作動させた加速走行と、内燃機関の作動を停止させた惰性走行とを交互に行って目標車速に従って走行する加速惰性走行を行いつつ、加速惰性走行中に内燃機関の始動に供される電力消費を抑制する。【解決手段】ハイブリッド車両１のＨＶＥＣＵ１００は、設定された車速域内に車速の目標値である目標車速が設定された場合に、当該車速域内において、内燃機関を始動させ原動機として作動させた加速走行と、内燃機関の作動を停止させた惰性走行とを交互に行って目標車速に従って走行する加速惰性走行と、内燃機関を原動機として継続して作動させて目標車速に従って走行する定速走行との、いずれか一方を車両に行わせる機能と、内燃機関の始動１回あたりに必要な電力量である始動必要電力量を取得する機能とを有している。ＨＶＥＣＵ１００は、加速惰性走行中に行う内燃機関の始動回数を低減させる。【選択図】図１
2009293490.tif 000002
【特許請求の範囲】
【請求項１】
原動機として内燃機関を備え、車両走行中に内燃機関の作動を停止可能な車両に用いられる車両用制御装置であって、
予め設定された車速域内に車速の目標値である目標車速が設定された場合に、当該車速域内において、内燃機関を始動させ、原動機として作動させた加速走行と、内燃機関の作動を停止させた惰性走行とを交互に行って目標車速に従って走行する加速惰性走行と、内燃機関を原動機として継続して作動させて目標車速に従って走行する定速走行との、いずれか一方を車両に行わせることが可能な走行制御手段と、
内燃機関の始動１回あたりに必要な電力量である始動必要電力量を取得する始動電力量取得手段と、
を有し、
走行制御手段は、始動必要電力量が大きくなるに従って、加速惰性走行中に行う内燃機関の始動回数を低減させる
ことを特徴とする車両用制御装置。
【請求項２】
請求項１に記載の車両用制御装置において、
走行制御手段は、
加速惰性走行中における内燃機関の始動回数が、予め設定された許容回数を上回る場合に、加速惰性走行に替えて定速走行を行わせるものであり、
始動必要電力量が大きくなるに従って、前記許容回数を小さく設定する
ことを特徴とする車両用制御装置。
【請求項３】
請求項１又は２に記載の車両用制御装置において、
車両は、原動機として内燃機関とモータとを備えるものであり、
前記加速走行は、原動機として内燃機関とモータとを併用するＨＶ走行、又は原動機として内燃機関のみを選択使用するエンジン走行により行い、
前記惰性走行は、車両の慣性力により惰性で走行させる
ことを特徴とする車両用制御装置。
【発明の詳細な説明】
【技術分野】
【０００１】
本発明は、原動機として内燃機関を備え、車両走行中に内燃機関の作動を停止可能な車両の制御技術に関し、特に予め設定された目標車速に従って車両を走行させる走行制御技術に関する。
【背景技術】
【０００２】
自動車等の原動機として内燃機関を備えた車両においては、近年、クルーズコントロール等、車両の走行速度（以下、単に「車速」と記す）が、予め設定された車両速度の目標値（以下、目標車速と記す）に従って、原動機が出力する機械的動力等を自動的に調整する制御技術が知られている（例えば、特許文献１，２参照）。
【０００３】
また、下記の特許文献１には、原動機として内燃機関とモータジェネレータ（以下、単に「モータ」と記す）とを備え、車両走行中に内燃機関の作動を停止可能なハイブリッド車両において、原動機からの機械的動力により駆動力を発生させた加速走行と、原動機に機械的動力を出力させることなく車両の慣性力により惰性で車両を走行させる、いわゆるコーストダウン（coast down：以下、「惰性走行」と記す）とを交互に行うことで、予め設定された目標車速に従って車両を走行させる走行制御技術が開示されている。
【０００４】
特許文献１の走行制御技術においては、運転者により燃料消費の抑制を優先する車両走行が選択されている場合には、原動機として内燃機関を作動させたエンジン走行による加速走行と、上述の惰性走行とを交互に行うことで、燃料消費を抑制することが提案されている。
【０００５】
【特許文献１】特開２００７−１８７０９０号公報
【特許文献２】特開２００７−２９１９１９号公報
【発明の開示】
【発明が解決しようとする課題】
【０００６】
ところで、上述のように原動機として内燃機関を備え、車両走行中に内燃機関の作動を停止可能な車両において、内燃機関を始動させ、原動機として作動させた加速走行と、内燃機関の作動を停止させた惰性走行とを交互に行う車両走行（以下、加速惰性走行と記す）を行う場合、加速走行の開始ごとに内燃機関を始動することとなり、内燃機関の始動１回あたりに必要な電力量（以下、始動必要電力量と記す）は、内燃機関や、当該内燃機関からの機械的動力を駆動輪に伝達する駆動装置の温度等に応じて変化する。例えば、内燃機関や駆動装置の冷間時においては、運動部品と静止部品の摩擦が温間時に比べて大きくなり、当該摩擦により始動必要電力量が比較的大きくなる。このように始動必要電力量が比較的大きくなる場合、加速惰性走行を行って燃料消費を抑制しても、当該加速惰性走行中において内燃機関の始動に供される電力消費が大きくなってしまうという問題がある。
【０００７】
本発明は、上記に鑑みてなされたものであって、内燃機関を始動させ、原動機として作動させた加速走行と、内燃機関の作動を停止させた惰性走行とを交互に行って目標車速に従って走行する加速惰性走行を行いつつ、当該加速惰性走行中に内燃機関の始動に供される電力消費を抑制することが可能な車両用制御技術を提供することを目的とする。
【課題を解決するための手段】
【０００８】
上記の目的を達成するために、本発明に係る車両用制御装置は、原動機として内燃機関を備え、車両走行中に内燃機関の作動を停止可能な車両に用いられる車両用制御装置であって、予め設定された車速域内に車速の目標値である目標車速が設定された場合に、当該車速域内において、内燃機関を始動させ、原動機として作動させた加速走行と、内燃機関の作動を停止させた惰性走行とを交互に行って目標車速に従って走行する加速惰性走行と、内燃機関を原動機として継続して作動させて目標車速に従って走行する定速走行との、いずれか一方を車両に行わせることが可能な走行制御手段と、内燃機関の始動１回あたりに必要な電力量である始動必要電力量を取得する始動電力量取得手段とを有し、走行制御手段は、始動必要電力量が大きくなるに従って、加速惰性走行中に行う内燃機関の始動回数を低減させることを特徴とする。
【０００９】
上記の車両用制御装置において、走行制御手段は、加速惰性走行中における内燃機関の始動回数が、予め設定された許容回数を上回る場合に、加速惰性走行に替えて定速走行を行わせるものであり、始動必要電力量が大きくなるに従って、前記許容回数を小さく設定するものとすることができる。
【００１０】
上記の車両用制御装置において、車両は、原動機として内燃機関とモータとを備えるものであり、前記加速走行は、原動機として内燃機関とモータとを併用するＨＶ走行、又は原動機として内燃機関のみを選択使用するエンジン走行により行い、前記惰性走行は、車両の慣性力により惰性で走行させるものとすることができる。
【発明の効果】
【００１１】
本発明によれば、始動必要電力量が大きくなるに従って、加速惰性走行中に行う内燃機関の始動回数を低減させて、加速惰性走行中において内燃機関の始動に供される合計の電力消費を抑制することができる。
【発明を実施するための最良の形態】
【００１２】
以下、この発明につき図面を参照しつつ詳細に説明する。なお、この実施の形態（以下、実施形態と記す）によりこの発明が限定されるものではない。また、下記実施の形態における構成要素には、当業者が容易に想定できるもの、あるいは実質的に同一のものが含まれる。
【００１３】
まず、本実施形態に係る車両用制御装置が適用されるハイブリッド車両の概略構成について、図１〜図３を用いて説明する。図１は、ハイブリッド車両の概略構成を示す模式図である。図２は、内燃機関の機関回転速度及び機関負荷に対する燃料消費率及び機関出力を示す図である。図３は、運転者により原動機に要求される要求出力と、内燃機関による燃料消費との関係を示す図である。
【００１４】
図１に示すように、ハイブリッド車両１は、駆動輪９４を回転駆動して推進するために、原動機として、内燃機関１０と、発電可能な電動機であるモータジェネレータ（以下、単に「モータ」と記す）ＭＧ１，ＭＧ２とを備えている。モータＭＧ１，ＭＧ２は、後述する動力分割統合機構３０、減速機構７０、及び差動機構８０と共に、駆動装置２０（いわゆるハイブリッド・トランスアクスル）を構成している。駆動装置２０は、内燃機関１０と結合されて動力出力装置（パワープラント）を構成し、ハイブリッド車両１に搭載されている。
【００１５】
ハイブリッド車両１には、内燃機関１０及びモータＭＧ１，ＭＧ２を協調して制御する制御手段として、ハイブリッド車両用の電子制御装置（以下、ＨＶＥＣＵと記す）１００が設けられている。ＨＶＥＣＵ１００には、各種制御定数を記憶する記憶手段としてＲＯＭ（図示せず）が設けられている。ＨＶＥＣＵ１００により制御されて、ハイブリッド車両１は、内燃機関１０とモータＭＧ１，ＭＧ２を原動機として併用又は選択使用することが可能に構成されている。
【００１６】
内燃機関１０は、燃料を燃焼させることにより燃料のエネルギを機械的仕事に変換して出力する熱機関であり、ピストン往復動機関である。内燃機関１０は、図示しない燃料噴射装置、スロットル弁装置、及び各種センサ等を有しており、これら装置は、ＨＶＥＣＵ１００により制御される。内燃機関１０の出力軸１２（以下、機関出力軸と記す）には、後述する動力分割統合機構３０のプラネタリキャリア３４が結合されている。内燃機関１０は、機関出力軸１２から駆動輪９４に向けて機械的動力を出力する。内燃機関１０が機関出力軸１２から出力する機械的動力（以下、機関出力と記す）は、ＨＶＥＣＵ１００により制御可能となっている。
【００１７】
また、内燃機関１０には、機関本体（図示せず）を貫流する冷却水（クーラント）の温度を検出する水温センサ１１が設けられている。水温センサ１１は、検出した内燃機関１０の機関本体を流れる冷却水の温度（以下、機関水温と記す）に係る信号を、ＨＶＥＣＵ１００に送出している。また、内燃機関１０には、機関出力軸１２の回転角位置（以下、クランク角と記す）を検出するクランク角センサ（図示せず）が設けられており、クランク角に係る信号をＨＶＥＣＵ１００に送出している。
【００１８】
駆動装置２０には、原動機として、モータＭＧ１，ＭＧ２が設けられている。モータＭＧ１及びＭＧ２は、供給された電力を機械的動力に変換する電動機としての機能と、入力された機械的動力を電力に変換する発電機としての機能とを兼ね備えた、いわゆるモータジェネレータである。モータＭＧ１は、主に発電機として用いられ、一方、モータＭＧ２は、主に電動機として用いられる。モータＭＧ１，ＭＧ２は、永久磁石式交流同期モータ等で構成されており、後述するインバータ６１，６２から交流電力の供給を受けて回転磁界を形成するステータ５３，５４と、回転磁界に引き付けられて回転するロータ５１，５２とを有している。ロータ５１，５２は、後述する動力分割統合機構３０に結合されている。モータＭＧ１，ＭＧ２には、それぞれロータ５１，５２の回転角位置を検出するレゾルバ（図示せず）が設けられており、ロータ５１，５２の回転角位置に係る信号を、後述するモータＥＣＵ６６に送出している。
【００１９】
なお、以下の説明において、モータ（ＭＧ１，ＭＧ２）を電動機として機能させて、ロータ（５１，５２）から機械的動力を出力することを「力行」と記す。これに対して、モータ（ＭＧ１，ＭＧ２）を発電機として機能させて、駆動輪９４からモータ（ＭＧ１，ＭＧ２）のロータ（５１，５２）に伝達された機械的動力を電力に変換して回収すると共に、このときロータ（５１，５２）に生じる回転抵抗により、ロータ（５１，５２）及びこれに係合する部材（例えば、駆動輪９４）の回転を制動することを「回生制動」と記す。
【００２０】
また、駆動装置２０には、モータＭＧ１，ＭＧ２に電力を供給する電力供給装置として、それぞれインバータ６１，６２が設けられている。インバータ６１，６２は、それぞれ、モータＭＧ１，ＭＧ２に対応して設けられており、ステータ５３，５４に接続されている。インバータ６１，６２は、二次電池１０８から供給される直流電力を交流電力に変換して、それぞれ対応するモータＭＧ１，ＭＧ２に供給することが可能に構成されている。また、モータＭＧ１，ＭＧ２からの交流電力を直流電力に変換して後述する二次電池１０８に回収可能に構成されている。インバータ６１，６２の電力供給及び電力回収は、後述するモータＥＣＵ６６により制御される。
【００２１】
また、駆動装置２０には、モータＭＧ１，ＭＧ２を制御するための電子制御装置６６（以下、モータＥＣＵと記す）が設けられている。モータＥＣＵ６６は、ＨＶＥＣＵ１００から要求トルク、及び要求回転速度に係る信号を受け、インバータ６１，６２を制御することで、モータＭＧ１，ＭＧ２のそれぞれについて、ロータ５１，５２が出力するトルク（以下、モータ出力トルクと記す）と、ロータ５１，５２の回転速度（以下、モータ回転速度と記す）とを調整することが可能となっている。
【００２２】
また、駆動装置２０には、内燃機関１０及びモータＭＧ１，ＭＧ２が出力した機械的動力を駆動軸９０に伝達する動力伝達機構として、内燃機関１０が出力した機械的動力を分割する動力分割統合機構３０と、動力分割統合機構３０から伝達された回転を減速しトルクを増大させる減速機構７０と、減速機構７０から伝達された機械的動力を左右の駆動軸９０に分配して出力する差動機構８０が設けられている。
【００２３】
動力分割統合機構３０は、２つのシングルピニオン式遊星歯車３０ａ，３０ｃで構成されている。詳細には、内燃機関１０が出力した機械的動力を、モータＭＧ１を駆動する機械的動力と減速機構７０を駆動する機械的動力に分割可能な動力分割遊星歯車３０ａと、モータＭＧ２が出力した機械的動力を、回転速度を減速しトルクを増大させて減速機構７０に伝達可能な減速遊星歯車３０ｃとを有している。動力分割統合機構３０において、動力分割遊星歯車３０ａと減速遊星歯車３０ｃは、同心配置されており、動力分割遊星歯車３０ａのリングギア３６ａと減速遊星歯車３０ｃのリングギア３６ｃが一体に結合されている。リングギア３６ａ，３６ｃの外周側には、減速機構７０のカウンタドリブンギア７４と噛み合うカウンタドライブギア４４が設けられている。
【００２４】
動力分割遊星歯車３０ａにおいて、プラネタリキャリア３４は、内燃機関１０の機関出力軸１２に結合されており、サンギア３２は、モータＭＧ１のロータ５１に結合されている。動力分割遊星歯車３０ａは、内燃機関１０が機関出力軸１２から出力した機械的動力を、プラネタリキャリア３４が支持するプラネタリピニオン３３から、サンギア３２に伝達する機械的動力と、リングギア３６ａに伝達する機械的動力に分割する。内燃機関１０からサンギア３２に伝達された機械的動力は、モータＭＧ１に伝達されて、ここで発電に供される。
【００２５】
一方、減速遊星歯車３０ｃにおいて、プラネタリキャリア４１は、駆動装置２０のハウジングに固定されており、サンギア３８は、モータＭＧ２のロータ５２に結合されている。減速遊星歯車３０ｃは、モータＭＧ２がロータ５２から出力した機械的動力を、プラネタリキャリア４１が支持するプラネタリピニオン４３を介して、回転速度を減速しトルクを増大させてリングギア３６ｃに伝達する。動力分割統合機構３０は、モータＭＧ２からリングギア３６ｃに伝達された機械的動力と、内燃機関１０からリングギア３６ａに伝達された機械的動力を統合して、カウンタドライブギア４４から減速機構７０に伝達する。
【００２６】
減速機構７０は、カウンタドライブギア４４と噛み合うカウンタドリブンギア７４と、当該カウンタドリブンギア７４とに結合されており、差動機構８０のリングギア８２と噛み合うファイナルドライブギア７８で構成されており、動力分割統合機構３０のリングギア（３６ａ，３６ｃ）からの機械的動力を、カウンタドリブンギア７４で受けて、回転速度を減速しトルクを増大させて、ファイナルドライブギア７８から、差動機構８０に伝達する。差動機構８０は、減速機構７０からの機械的動力を、リングギア８２で受けて、左右の駆動輪９４にそれぞれ結合されている左右の駆動軸９０に分配する。このようにして、ハイブリッド車両１は、内燃機関１０及びモータＭＧ１，ＭＧ２を原動機として併用又は選択使用して、駆動軸９０に結合されている駆動輪９４を回転駆動することが可能となっている。なお、駆動輪９４の近傍には、駆動輪９４の回転速度を検出する車輪速センサ（図示せず）が設けられており、検出した駆動輪９４の回転速度に係る信号をＨＶＥＣＵ１００に送出している。
【００２７】
また、ハイブリッド車両１には、モータＭＧ１，ＭＧ２に供給する電力を貯蔵する二次電池（蓄電池）１０８と、二次電池１０８の電圧を昇圧してインバータ６１，６２の供給電圧に変換可能な昇圧コンバータ１０６が設けられている。二次電池１０８は、モータＭＧ１，ＭＧ２に対応して設けられたインバータ６１，６２に、昇圧コンバータ１０６を介して電気的に接続されている。二次電池１０８は、インバータ６１，６２を介して、それぞれモータＭＧ１，ＭＧ２との間で電気エネルギの充放電が可能となっている。
【００２８】
また、ハイブリッド車両１には、二次電池１０８を監視する電池監視用の電子制御装置１０４（以下、電池ＥＣＵと記す）が設けられている。電池ＥＣＵ１０４は、二次電池１０８の温度や電圧、充放電電流等を監視している。これら情報から電池ＥＣＵ１０４は、二次電池１０８の蓄電状態（state-of-charge：ＳＯＣ）、及び内燃機関１０の始動１回あたりに必要な電力量［ｋＷｈ］である「始動必要電力量」を算出している。電池ＥＣＵ１０４は、二次電池１０８の蓄電状態に係る信号、及び始動必要電力量に係る信号を、ＨＶＥＣＵ１００に送出している。
【００２９】
なお、始動必要電力量は、内燃機関１０を始動するときに、インバータ６１からモータＭＧ１に供給される電力量と、インバータ６２からモータＭＧ２に供給される電力量との合計として算出することもできる。この場合、モータＥＣＵ６６が、これら電力量の合計から始動必要電力量を算出して、当該始動必要電力量に係る信号をＨＶＥＣＵ１００に送出しても良い。また、モータＥＣＵ６６は、内燃機関１０を始動するときの、モータＭＧ１に供給する電力量に係る信号と、モータＭＧ２に供給する電力量に係る信号とを、それぞれＨＶＥＣＵ１００に送出し、ＨＶＥＣＵ１００が始動必要電力量を算出するものとしても良い。
【００３０】
また、ハイブリッド車両１には、運転者によるアクセルペダル１１０の操作量を検出するアクセルペダルポジションセンサ１１２が設けられており、検出したアクセルペダル１１０の操作量（以下、アクセル操作量と記す）に係る信号を、ＨＶＥＣＵ１００に送出している。
【００３１】
また、ハイブリッド車両１には、運転者が、内燃機関１０による燃料消費の抑制を優先した車両走行（以下、燃費走行と記す）を選択するために、ＨＶＥＣＵ１００に燃費走行を指示するスイッチ（以下、エコ運転スイッチと記す）１２０が設けられている。エコ運転スイッチ１２０は、車室内のインスツルメントパネル等、運転者により操作可能な場所に設けられており、運転者の操作により、オン（ＯＮ）状態とオフ（ＯＦＦ）状態とを切替可能に構成されている。エコ運転スイッチ１２０のオン状態とオフ状態は、ＨＶＥＣＵ１００により検出される。
【００３２】
以上のように構成されたハイブリッド車両１において、ＨＶＥＣＵ１００は、クランク角センサからの機関出力軸１２の回転角位置及び回転速度に係る信号と、車輪速センサからの駆動輪９４の回転速度に係る信号と、モータＭＧ１，ＭＧ２それぞれ設けられたレゾルバからのモータ回転速度に係る信号とを検出している。また、ＨＶＥＣＵ１００は、水温センサ１１からの機関水温に係る信号と、アクセルペダルポジションセンサ１１２からのアクセル操作量に係る信号と、エコ運転スイッチ１２０のオン／オフ状態に係る信号とを検出している。また、ＨＶＥＣＵ１００は、電池ＥＣＵ１０４からの二次電池１０８の蓄電状態に係る信号と、始動必要電力量に係る信号とを検出している。なお、始動必要電力量に係る信号は、モータＥＣＵ６６から検出するものとしても良い。
【００３３】
これら信号に基づいて、ＨＶＥＣＵ１００は、内燃機関１０の機関出力軸１２の回転速度（以下、機関回転速度と記す）と、内燃機関１０が機関出力軸１２から出力するトルク（以下、機関負荷と記す）とを算出しており、機関回転速度及び機関負荷から内燃機関１０の機関出力を制御変数として算出している。また、ＨＶＥＣＵ１００は、モータＭＧ１，ＭＧ２のそれぞれについて、モータ回転速度とモータ出力トルクとを制御変数として算出しており、モータＭＧ１，ＭＧ２がそれぞれロータ５１，５２から出力する機械的動力（以下、モータ出力と記す）を算出している。
【００３４】
また、ＨＶＥＣＵ１００は、駆動輪９４の回転速度に基づいて車両の走行速度（以下、車速と記す）を制御変数として算出している。また、ＨＶＥＣＵ１００は、二次電池１０８の蓄電状態と、始動必要電力量を制御変数として算出している。また、ＨＶＥＣＵ１００は、アクセル操作量に係る信号と、二次電池１０８の蓄電状態に基づいて、運転者により原動機すなわち内燃機関１０及びモータＭＧ１，ＭＧ２に出力することが要求される合計の機械的動力（以下、要求出力と記す）を制御変数として算出している。
【００３５】
これら制御変数に基づいて、ＨＶＥＣＵ１００は、内燃機関１０の機関回転速度及び機関負荷と、モータＭＧ１，ＭＧ２のそれぞれについて、モータ回転速度及びモータ出力トルクとを協調して制御することが可能となっている。また、ＨＶＥＣＵ１００は、エコ運転スイッチ１２０のオン状態を検出した場合、運転者が燃費走行を要望しているものと判断する。ＨＶＥＣＵ１００は、エコ運転スイッチ１２０のオン状態を検出した場合、運転者が燃費走行を要望しているものと判断する。
【００３６】
ＨＶＥＣＵ１００は、エコ運転スイッチ１２０がオン状態である場合、運転者によりアクセルペダル１１０から踏みこんでいた足を離す操作（アクセルオフ操作と記す）がなされて、アクセル操作量がゼロとなった時点の車速を、そのまま車速の目標値（以下、目標車速と記す）に設定する機能（目標車速設定手段）を有している。
【００３７】
また、ＨＶＥＣＵ１００は、内燃機関１０の作動／非作動状態を切替える機能と、モータＭＧ１，ＭＧ２の電動機及び発電機としての作動と非作動とを切替える機能とを有している。ＨＶＥＣＵ１００は、モータＭＧ１，ＭＧ２を空転させると共に、内燃機関１０の作動を停止する、すなわち非作動状態にすることで、原動機としての内燃機関１０及びモータＭＧ１，ＭＧ２に機械的動力を出力させることなく、ハイブリッド車両１の慣性力により惰性で車両を走行させる、いわゆる惰性走行（コーストダウン）を行わせることが可能となっている。
【００３８】
また、ＨＶＥＣＵ１００は、車両走行中において、内燃機関１０を始動し、又は作動を停止して、内燃機関１０の作動状態と非作動状態とを切替えることが可能となっている。
【００３９】
例えば、一定の車速での走行中において内燃機関１０を非作動状態にする場合、ＨＶＥＣＵ１００は、モータＭＧ２の回転速度はそのままに、モータＭＧ２のモータ出力トルクすなわちモータ出力を増大させると共に、その分、内燃機関１０の機関出力をゼロにして、モータＭＧ１をモータＭＧ２と逆の回転方向に空転させて機関回転速度をゼロにすることで、内燃機関１０の作動を停止して非作動状態にすることが可能となっている。
【００４０】
また、一定の車速での走行中において内燃機関１０を作動状態にする場合、ＨＶＥＣＵ１００は、モータＭＧ２の回転速度をそのままに、モータＭＧ２のモータ出力トルクすなわちモータ出力を減少させると共に、モータＭＧ１をモータＭＧ２と同じ方向に力行させて、ゼロとなっていた機関回転速度を上昇させることで、内燃機関１０を始動して作動状態にすることが可能となっている。
【００４１】
このように構成されたハイブリッド車両１は、車両走行中において、内燃機関１０及びモータＭＧ２を原動機として併用又は選択使用し、これら原動機からの機械的動力を、駆動装置２０内の動力伝達機構（３０，７０，８０）により駆動軸９０に伝達することで、駆動輪９４を回転駆動して、ハイブリッド車両１に駆動力を発生させることが可能となっている。また、ハイブリッド車両１は、車両減速時において、駆動輪９４から駆動装置２０に伝達された機械的動力を、モータＭＧ２で電力に変換して、二次電池１０８に回収する、いわゆる回生制動を行うことが可能となっている。
【００４２】
ハイブリッド車両１は、原動機として内燃機関１０とモータＭＧ１，ＭＧ２とを併用又は選択使用することで、様々な車両走行（走行モード）を実現することができる。例えば、原動機として内燃機関１０のみを選択使用する車両走行である「エンジン走行」、原動機として内燃機関１０及びモータＭＧ１，ＭＧ２を併用する車両走行である「ＨＶ走行」、原動機としてモータＭＧ１，ＭＧ２のみを選択使用する車両走行である「ＥＶ走行」等がある。これら車両走行（走行モード）は、運転者が要求する要求出力や、モータＭＧ１，ＭＧ２に電力を供給する二次電池１０８の蓄電状態（ＳＯＣ）等に応じてＨＶＥＣＵ１００により、逐次、自動的に切り替えられる。
【００４３】
このようにハイブリッド車両１は、「内燃機関１０を原動機として作動させた走行」、すなわち内燃機関１０を作動状態にして、内燃機関１０から出力される機械的動力を駆動輪９４に伝達して駆動力を発生させる車両走行を、上述のＨＶ走行及びエンジン走行により実現することができる。一方、「内燃機関１０の作動を停止させた走行」には、内燃機関１０を非作動状態にして、内燃機関１０以外の原動機であるモータＭＧ１，ＭＧ２から出力される機械的動力を駆動輪９４に伝達して駆動力を発生させる車両走行であるＥＶ走行と、原動機に機械的動力を出力させることなく、車両慣性力により惰性でハイブリッド車両１を走行させる惰性走行が含まれている。
【００４４】
このようなハイブリッド車両１において、原動機として設けられた内燃機関１０は、図２に示すように、その運転状態すなわち機関回転速度及び機関負荷に応じて燃料消費率が決まる。燃料消費率［ｇ／ｋＷｈ］が等しくなる運転状態（機関回転速度及び機関負荷）を図に実線で示し、以下に「等燃料消費率曲線」と記す。内燃機関１０は、一般的に、機関回転速度が中程度であり、且つ機関負荷が中負荷から高負荷である運転状態において、燃料消費率が低くなる（効率が高くなる）傾向がある。
【００４５】
加えて、内燃機関１０においては、機関回転速度に応じて最も燃料消費率が低くなる機関負荷が決まる。機関回転速度に応じて最も燃料消費率が低くなる機関負荷を接続した線を図２に一点鎖線で示し、以下に「最適燃費線」と記す。ＨＶＥＣＵ１００は、内燃機関１０における燃料消費を抑制するために、運転状態（機関回転速度及び機関負荷）が最適燃費線上となるよう、内燃機関１０を作動させる。なお、図において、機関負荷に機関回転速度を乗じた値となる機関出力が、同一となる運転状態を接続した線を図２に破線で示し、以下に「等機関出力線」と記す。
【００４６】
しかし、ＨＶＥＣＵ１００が、運転状態が最適燃費線上となるよう内燃機関１０を作動させても、例えば、図に「定速」で示す運転状態のように、内燃機関１０に要求される機関出力が比較的低い場合には、図に「加速」で示すように、内燃機関１０に要求される機関出力が比較的高い場合に比べて燃料消費率が高くなる（効率が低くなる）傾向がある。
【００４７】
また、図３に要求出力Ｐｅｖ以下に示す領域のように、運転者により原動機すなわち内燃機関１０及びモータＭＧ１，ＭＧ２に要求される合計の出力すなわち要求出力が低い場合、要求出力の少なくとも一部を内燃機関１０により発生させると、機関出力が低く、内燃機関１０における燃料消費率が他の運転領域に比べて高くなる。よって、ＨＶＥＣＵ１００は、要求出力がＰｅｖ以下となる場合には、内燃機関１０の作動を停止し非作動状態にして、内燃機関１０の作動を停止させた車両走行すなわちモータＭＧ２のみを選択使用するＥＶ走行を行わせる。
【００４８】
一方、図３に要求出力Ｐｈｖ以上で示す領域のように、運転者により原動機に要求される要求出力が比較的高い場合、ＨＶＥＣＵ１００は、要求出力の少なくとも一部を内燃機関１０により発生させても、機関出力がさほど低くならず、燃料消費率が高くならないものと判断して、内燃機関１０を始動し作動状態にして、原動機として内燃機関１０を用いる車両走行すなわち上述のエンジン走行又はＨＶ走行をハイブリッド車両１に行わせることが可能となっている。
【００４９】
このように構成されたハイブリッド車両１において、運転者により燃料消費の抑制を優先する走行が望まれており、且つ予め設定された車両速度域内に目標車速が設定された場合において、ＨＶＥＣＵ１００は、車両速度域内において、内燃機関１０を始動し、原動機として作動させた加速走行と、内燃機関１０の作動を停止させた惰性走行とを交互に行って目標車速に沿って走行する車両走行（以下、加速惰性走行と記す）と、内燃機関１０を原動機として継続して作動させて目標車速どおりに走行する車両走行（以下、定速走行と記す）とのいずれか一方をハイブリッド車両１に行わせることが可能となっており、加速惰性走行を行わせることで、定速走行を行わせる場合に比べて内燃機関１０における燃料消費を抑制することができる。以下に詳細を、図２、図４及び図５を用いて説明する。
【００５０】
図４は、ハイブリッド車両が行う加速惰性走行の一例を示す図である。図５は、加速走行を行う場合と低速走行を行う場合における機関出力の差異を説明する図である。
【００５１】
運転者によりエコ運転スイッチ１２０がオン状態に操作されている場合等、運転者により燃料消費の抑制を優先することが選択されている場合、ＨＶＥＣＵ１００は、まず、目標車速Ｖｍを設定する。目標車速Ｖｍは、例えば、アクセルオフ操作がなされて、アクセル操作量がゼロとなった時点の車速に設定される。なお、目標車速Ｖｍは、ＨＶＥＣＵ１００により設定されるものであれば良く、ＨＶＥＣＵ１００がクルーズコントロール制御を行う際に、設定するものとしても良い。
【００５２】
加えて、ＨＶＥＣＵ１００は、予め設定された車速域Ｒ内に、目標車速Ｖｍが設定された場合に、当該目標車速Ｖｍに従ってハイブリッド車両１を走行させる機能（以下、走行制御手段と記す）を有している。まず、ＨＶＥＣＵ１００は、上述のように設定された目標車速Ｖｍが、予め設定された車速域Ｒ内にあるか否かを判定する。この車速域Ｒは、例えば、約３０ｋｍ／ｈ〜５０ｋｍ／ｈ等、中低速で市街地を巡航するような領域に設定される。車速域Ｒの上限値ＶＨ（以下、単に「上限車速」と記す）と、車速域の下限値ＶＬ（以下、単に「下限車速」と記す）は、制御定数としてＨＶＥＣＵ１００のＲＯＭ（図示せず）に記憶されている。
【００５３】
目標車速Ｖｍが車速域Ｒ内にある場合、ＨＶＥＣＵ１００は、図４に示すように、当該車速域Ｒ内において、内燃機関１０を原動機として作動させた車両走行による加速走行と、内燃機関１０の作動を停止させた惰性走行とを交互に行って、目標車速Ｖｍに従って走行する「加速惰性走行」を行わせる。
【００５４】
詳細には、図４に点ｂ→点ａに示すように、上限車速ＶＨから再び下限車速ＶＬまでハイブリッド車両１を減速させる場合、ＨＶＥＣＵ１００は、上限車速ＶＨにおいて内燃機関１０の作動を停止させて、当該上限車速ＶＨから下限車速ＶＬまで内燃機関１０の作動を停止させた惰性走行を行わせる。この間、内燃機関１０は、非作動状態であるため、燃料消費はゼロとなる。
【００５５】
一方、図４に点ａ→点ｂに示すように、下限車速ＶＬから上限車速ＶＨまでハイブリッド車両１を加速走行させる場合、ＨＶＥＣＵ１００は、下限車速ＶＬにおいて内燃機関１０を始動して、当該下限車速ＶＬから上限車速ＶＨまで内燃機関１０を原動機として作動させたＨＶ走行（又はエンジン走行）を行わせる。このように内燃機関１０を原動機として作動させたＨＶ走行により加速走行を行っている間、原動機（内燃機関１０及びモータＭＧ１，ＭＧ２）に要求される要求出力は、目標車速Ｖｍで定速走行を行う場合に比べて高いものとなる。
【００５６】
このように原動機として内燃機関１０を用いてハイブリッド車両１を車速域Ｒ内において加速走行させる場合、二次電池１０８からモータＭＧ１，ＭＧ２への電力の供給（持ち出し）がないものを仮定すると、原動機に要求される要求出力は、そのまま内燃機関１０が発生する機関出力となる。当該機関出力Ｐｅ３は、図５に示すように、原動機として内燃機関１０のみを用いて目標車速Ｖｍで定速走行を行った場合の機関出力Ｐｅ１に比べて大きくなる。
【００５７】
当該車速域Ｒ内において内燃機関１０を原動機として作動させたＨＶ走行（又はエンジン走行）を行っている場合、車速域Ｒが比較的中低速に設定されているため、これに応じて機関回転速度も比較的低回転速度となる。このような場合、図２に示すように、加速走行を行って機関出力Ｐｅ３を発生させた方が、定速走行を行って機関出力Ｐｅ１を発生させるよりも燃料消費率が低くなる。
【００５８】
したがって、目標車速Ｖｍが、予め設定された車速域Ｒ内にある場合、図４及び図５に示すように、ＨＶＥＣＵ１００は、内燃機関１０を原動機として作動させた加速走行（機関出力Ｐｅ３）と、燃料消費がゼロとなる内燃機関１０の作動を停止させた惰性走行とを交互に行わせる「加速惰性走行」をハイブリッド車両１に行わせることで、原動機として内燃機関１０を用いて目標車速Ｖｍどおりに定速走行（機関出力Ｐｅ１）を継続して行わせる場合に比べて、内燃機関１０における燃料消費を抑制することができる。
【００５９】
なお、図４に示すように、加速走行の開始時に内燃機関１０を始動させるため、加速惰性走行中において、内燃機関１０を始動させる回数（以下、始動回数と記す）は、加速走行と惰性走行とを交互に繰り返す回数（以下、加減速繰り返し回数と記す）に一致している。加速惰性走行を継続する時間が長くなるに従って、加速惰性走行中に行われる始動回数は増加することとなる。
【００６０】
上述のように原動機として内燃機関１０を備え、車両走行中に内燃機関１０の作動を停止可能な車両において、内燃機関１０を始動させ、原動機として作動させた加速走行と、内燃機関１０の作動を停止させた惰性走行とを交互に行う「加速惰性走行」を行う場合、図４に点ａで示すように、加速走行の開始ごとに内燃機関１０を始動する必要があり、このとき、モータＭＧ１，ＭＧ２において電力が消費されることとなる。内燃機関の始動１回あたりに必要な電力量である始動必要電力量は、内燃機関１０や駆動装置２０の温度等に応じて変化する。始動必要電力量が比較的大きくなる場合、加速惰性走行を行って燃料消費を抑制しても、内燃機関１０の始動に供される合計の電力消費が大きくなってしまうという問題が生じる。
【００６１】
そこで、本実施形態に係るハイブリッド車両の制御手段としての車両用制御装置（ＨＶＥＣＵ）は、始動必要電力量が大きくなるに従って、加速惰性走行中に行われる内燃機関１０の始動回数、すなわち加速惰性走行を継続する時間を低減させており、以下に、ＨＶＥＣＵが実行する走行制御について図１〜図７を用いて説明する。図６は、ＨＶＥＣＵが実行する走行制御を示すフローチャートである。図７は、ＨＶＥＣＵが設定する、始動必要電力量に対する許容回数を示す図である。
【００６２】
図６に示すように、ステップＳ１００において、ＨＶＥＣＵ１００は、各種制御変数を取得する。この制御変数には、目標車速Ｖｍ、機関水温Ｔｗ、及びエコ運転スイッチ１２０のオン／オフ状態、および始動必要電力量を制御変数として取得する。
【００６３】
そして、ステップＳ１０２において、ＨＶＥＣＵ１００は、エコ運転スイッチ１２０がオン状態であるか否かを判定する。すなわち、運転者により燃料消費を優先した車両走行が求められているか否かを判定している。エコ運転スイッチ１２０がオフ状態である（Ｎｏ）と判定された場合、ＨＶＥＣＵ１００は、ステップＳ１１０において、原動機として内燃機関１０を原動機として継続して作動させる定速走行を行わせる。
【００６４】
この場合、ＨＶＥＣＵ１００は、図４に示すように、内燃機関１０を原動機として作動させたＨＶ走行又はエンジン走行により、目標車速Ｖｍどおりに一定の車速でハイブリッド車両１を走行させる。ＨＶＥＣＵ１００は、ハイブリッド車両１を、目標車速Ｖｍどおりの車速で走行させるため、運転者に違和感を与えることがなく、運転性を良好なものにしている。
【００６５】
一方、ステップＳ１０２において、エコ運転スイッチ１２０がオン状態である（Ｙｅｓ）と判定された場合、ＨＶＥＣＵ１００は、ステップＳ１０４において、機関水温Ｔｗが、予め設定された暖機判定水温Ｔｗ１を上回るか否かを判定する。暖機判定水温Ｔｗ１は、内燃機関１０及び駆動装置２０の暖機が完了しているか否かを判断するための閾値であり、予め適合実験等により求められて、制御定数としてＨＶＥＣＵ１００のＲＯＭに記憶されている。
【００６６】
ステップＳ１０４において、機関水温Ｔｗが暖機判定水温Ｔｗ１以下であり、内燃機関１０及び駆動装置２０の暖機が完了していない（Ｎｏ）と判定された場合、ＨＶＥＣＵ１００は、ステップＳ１１０において、内燃機関１０を原動機として継続して作動させた定速走行を行い、内燃機関１０を常時、作動状態にすることで暖機を促進する。
【００６７】
一方、ステップＳ１０４において、機関水温Ｔｗが暖機判定水温Ｔｗ１を上回る（Ｙｅｓ）場合には、ＨＶＥＣＵ１００は、ステップＳ１０６において、目標車速Ｖｍが予め設定された車速域Ｒ内にあるか否かを判定する。詳細には、図４に示すように、車速域Ｒを規定する下限車速ＶＬ及び上限車速ＶＨと、目標車速Ｖｍとの間において、以下の条件式（１）が成立するか否かを判定する。
ＶＬ＜Ｖｍ＜ＶＨ      ・・・（１）
なお、本実施形態において、下限車速ＶＬ及び上限車速ＶＨは、ハイブリッド車両１の車両諸元等に応じて予め設定されており、制御定数としてＨＶＥＣＵ１００のＲＯＭに記憶されている。
【００６８】
式（１）が成立しない、すなわち目標車速Ｖｍが車速域Ｒ内にはない（Ｎｏ）と判定された場合、ＨＶＥＣＵ１００は、ステップＳ１１０において、内燃機関１０を原動機として継続して作動させる定速走行をハイブリッド車両１に行わせる。
【００６９】
一方、式（１）が成立する、すなわち目標車速Ｖｍが車速域Ｒにある（Ｙｅｓ）と判定された場合、ＨＶＥＣＵ１００は、ステップＳ１０８において、加速惰性走行中における内燃機関１０の始動回数が、予め設定された許容回数以下であるか否かを判定する。許容回数は、加速惰性走行中において内燃機関１０の始動を許可するか否かを判定する閾値である。ＨＶＥＣＵ１００は、図７に示すように、始動必要電力量が大きくなるに従って、許容回数を小さく設定する。なお、内燃機関１０の始動回数は、加速惰性走行の開始時点において初期値としてゼロに設定されている。
【００７０】
ステップＳ１２０において内燃機関１０の始動回数が許容回数以下である（Ｙｅｓ）と判定された場合、ＨＶＥＣＵ１００は、内燃機関１０を始動し、原動機として作動させた加速走行と、内燃機関１０の作動を停止させた惰性走行とを交互に行って、目標車速Ｖｍに従って走行する加速惰性走行を行わせる。
【００７１】
詳細には、ＨＶＥＣＵ１００は、図４に示すように、原動機として内燃機関１０とモータＭＧ１，ＭＧ２とを併用するＨＶ走行により、下限車速ＶＬから上限車速ＶＨまでハイブリッド車両１を加速走行させる。上限車速ＶＨに達すると、ＨＶＥＣＵ１００は、内燃機関１０の作動を停止して、内燃機関１０の作動を停止させた惰性走行を開始する。そして、ＨＶＥＣＵ１００は、下限車速ＶＬに達するまで惰性走行によりハイブリッド車両１を減速させる。そして、図４に点ａで示すように、下限車速ＶＬに達すると、ＨＶＥＣＵ１００は、非作動状態にある内燃機関１０を始動する。
【００７２】
そして、ＨＶＥＣＵ１００は、加速惰性走行中において内燃機関１０を始動したときの始動必要電力量を取得して、当該始動必要電力量に応じて許容回数を新たに設定する（Ｓ１２２）と共に、内燃機関１０の始動回数を加算する（Ｓ１２４）。
【００７３】
これにより、加速惰性走行を継続する、すなわちステップＳ１００からステップＳ１２４までのルーチンを繰り返すに従って、ＨＶＥＣＵ１００は、始動必要電力量に応じて許容回数を最新の値に更新すると共に、始動回数を増加させていく。
【００７４】
そして、ステップＳ１０８において、始動回数が許容回数を上回る（Ｎｏ）と判定された場合、ＨＶＥＣＵ１００は、加速惰性走行に替えて、ステップＳ１１０において、原動機として内燃機関１０を原動機として継続して作動させる定速走行を行わせる。具体的には、ＨＶＥＣＵ１００は、図４に示すように、内燃機関１０を原動機として作動させたＨＶ走行又はエンジン走行により、目標車速Ｖｍどおりに一定の車速でハイブリッド車両１を走行させる。このように原動機として内燃機関１０の作動を継続させる定速走行を行っている間、内燃機関１０は、常時、作動状態となる。このため、内燃機関１０の冷間時にあっては、機関水温Ｔｗが上昇し、内燃機関１０、及び当該内燃機関１０に結合された駆動装置２０の暖機が促進されて、始動必要電力量が低下していくこととなる。
【００７５】
なお、加速惰性走行に替えて定速走行を行わせるステップＳ１１０において、加速惰性走行中に加算された内燃機関１０の始動回数をゼロに初期化する。
【００７６】
以上に説明した走行制御ルーチンは、所定時間ごとに繰り返され、その都度、目標車速Ｖｍ、機関水温Ｔｗ、始動必要電力量等の制御変数が更新され、さらに始動必要電力量に応じて許容回数が新たに設定される。このようにして、ＨＶＥＣＵ１００は、加速惰性走行中に行われる内燃機関１０の始動回数すなわち加減速繰り返し回数を、始動必要電力量が大きくなるに従って低減させている。
【００７７】
これにより、始動必要電力量が比較的小さい場合には、加速惰性走行を比較的長い時間継続して、内燃機関１０における燃料消費を抑制しつつ、始動必要電力量が比較的大きい場合には、加速惰性走行を継続する時間を低減させて、その分、定速走行を行う時間を増大させる、すなわち、全走行時間のうち加速惰性走行を行わせる時間割合を低減させることで、加速惰性走行中において内燃機関１０の始動に供される合計の電力消費を抑制することができる。
【００７８】
以上に説明したように、本実施形態に係る車両用制御装置（ＨＶＥＣＵ）１００は、原動機として内燃機関１０を備え、車両走行中に内燃機関１０の作動を停止可能なハイブリッド車両１に用いられる。ＨＶＥＣＵ１００は、予め設定された車速域Ｒ内に車速の目標値である目標車速Ｖｍが設定された場合に、当該車速域Ｒ内において、内燃機関１０を始動させ、原動機として作動させた加速走行と、内燃機関１０の作動を停止させた惰性走行とを交互に行って目標車速Ｖｍに従って走行する加速惰性走行と、内燃機関１０を原動機として継続して作動させて目標車速Ｖｍに従って走行する定速走行との、いずれか一方をハイブリッド車両１に行わせることが可能な機能である走行制御手段と、内燃機関の始動１回あたりに必要な電力量である始動必要電力量を取得する機能である始動電力量取得手段とを有している。ＨＶＥＣＵ１００の走行制御手段は、始動必要電力量が大きくなるに従って、加速惰性走行中に行う内燃機関１０の始動回数を低減させるものとした。始動必要電力量が比較的大きい場合には、加速惰性走行中に行う内燃機関１０の始動回数を低減させて、加速惰性走行中において内燃機関１０の始動に供される合計の電力消費を抑制することができる。
【００７９】
ＨＶＥＣＵ１００の走行制御手段は、加速惰性走行中における内燃機関１０の始動回数が、予め設定された許容回数を上回る場合に、加速惰性走行に替えて定速走行を行わせるものであり、加速惰性走行中における内燃機関１０の始動必要電力量が大きくなるに従って、前記許容回数を小さく設定するものとした。始動必要電力量が大きくなるに従って、加速惰性走行中における内燃機関の始動回数、すなわち加速惰性走行を継続する時間を低減すると共に、定速走行を行う時間を増大させ、全走行時間のうち加速惰性走行を行う時間割合を低減させる走行制御を容易に実現することができる。
【００８０】
また、本実施形態において、ハイブリッド車両１は、原動機として内燃機関１０とモータＭＧ１，ＭＧ２とを備えるものであり、前記加速走行は、原動機として内燃機関１０とモータＭＧ１，ＭＧ２とを併用するＨＶ走行、又は原動機として内燃機関１０のみを選択使用するエンジン走行により行い、前記惰性走行は、ハイブリッド車両１の慣性力により惰性で走行させるものとした。これにより、内燃機関１０を原動機として作動させた加速走行と、内燃機関１０の作動を停止させた惰性走行とを交互に行う加速惰性走行を、クラッチ操作等の複雑な制御を行うことなく、原動機として内燃機関１０とモータＭＧ１，ＭＧ２とを備えた車両により容易に実現することができる。
【００８１】
なお、本実施形態において、本発明に係る車両は、原動機として内燃機関１０とモータＭＧ１，ＭＧ２とを備えたハイブリッド車両１であるものとしたが、本発明が適用可能な車両は、これに限定されるものではない。車両走行中に内燃機関の作動を停止可能な車両であれば、本発明を適用することができる。
【産業上の利用可能性】
【００８２】
以上のように、本発明は、原動機として内燃機関を備え、車両走行中に内燃機関の作動を停止可能な車両に有用であり、特に、原動機として内燃機関とモータとを備えたハイブリッド車両に適している。
【図面の簡単な説明】
【００８３】
【図１】本実施形態に係るハイブリッド車両の概略構成を示す模式図である。
【図２】内燃機関の機関回転速度及び機関負荷に対する燃料消費率及び機関出力の一例を示す図である。
【図３】運転者により原動機に要求される要求出力と、内燃機関による燃料消費との関係の一例を示す図である。
【図４】本実施形態に係るハイブリッド車両が行う加速惰性走行の一例を示す図である。
【図５】加速走行を行う場合と定速走行を行う場合との機関出力の差異を説明する図である。
【図６】本実施形態に係る車両用制御装置（ＨＶＥＣＵ）が実行する走行制御を示すフローチャートである。
【図７】本実施形態に係る車両用制御装置（ＨＶＥＣＵ）が設定する、始動必要電力量に対する許容回数を示す図である。
【符号の説明】
【００８４】
１  ハイブリッド車両
１０  内燃機関
１１  水温センサ
２０  駆動装置
３０  動力分割統合機構（動力伝達機構）
３０ａ  動力分割遊星歯車
３０ｃ  減速遊星歯車
３４  プラネタリキャリア
３６ａ，３６ｃ  動力分割統合機構のリングギア
４４  カウンタドライブギア
５１，５２  モータジェネレータのロータ
５３，５４  モータジェネレータのステータ
６１，６２  インバータ
６６  モータジェネレータ用の電子制御装置（モータＥＣＵ）
７０  減速機構（動力伝達機構）
７４  カウンタドリブンギア
７８  ファイナルドライブギア
８０  差動機構（動力伝達機構）
８２  差動機構のリングギア
９０  駆動軸
９４  駆動輪
１０８  二次電池（蓄電池）
１１０  アクセルペダル
１１２  アクセルペダルポジションセンサ
１２０  エコ運転スイッチ
ＭＧ１，ＭＧ２  モータジェネレータ（回転電機）
１００  ハイブリッド車両用の電子制御装置（車両用制御装置、ＥＣＵ、走行制御手段、始動電力量取得手段、目標車速設定手段、記憶手段）
【図１】
2009293490.tif 000003
【図２】
2009293490.tif 000004
【図３】
2009293490.tif 000005
【図４】
2009293490.tif 000006
【図５】
2009293490.tif 000007
【図６】
2009293490.tif 000008
【図７】
2009293490.tif 000009